(57)【特許請求の範囲】
【請求項１】
帯状に形成された真偽品判別領域を有する媒体基材と、
前記真偽品判別領域の上の全面に設けられ、見る角度によって色が変化する色変化印刷層と、
前記色変化印刷層の上に設けられ、その色変化印刷層の一部分を目視不能に隠蔽して、偽造品判別情報を形成する真偽品判別情報形成層と
を有する偽造防止印刷媒体であって、
前記真偽品判別情報形成層は、前記偽造品判別情報となる領域以外の領域に、ベタ印刷され、かつ、前記媒体基材の表面の色調と、前記真偽品判別情報形成層の表面の色調とが同調していることを特徴とする偽造防止印刷媒体。
【請求項２】
請求項１に記載の偽造防止印刷媒体において、
前記色変化印刷層は、パール顔料を使用した印刷層である
ことを特徴とする偽造防止印刷媒体。
【請求項３】
請求項１又は請求項２に記載の偽造防止印刷媒体において、
前記真偽品判別情報形成層は、表面に光沢の出ないインキで形成された印刷層である
ことを特徴とする偽造防止印刷媒体。
【発明の詳細な説明】
【０００１】
【発明の属する技術分野】
本発明は、商品券、証券、株券などの金券類や、各種証明書類などへの使用に適した偽造防止印刷媒体に関するものである。
【０００２】
【従来の技術】
従来より、この種の金券類等の偽造防止を図るために、見る角度によって、色が変化する色変化印刷層を設けた偽造防止印刷媒体が普及してきている。このような色変化印刷層は、例えば、パールインキなどのように、見る角度によって色が変化する色変化インキで印刷して形成されている。
このような色が変化するインキは、光を多重反射する顔料を含んでおり、その顔料で反射した光の干渉によって、色が変化して見える。そのため、色変化効果は、顔料で反射する光が多いほど効果が大きくなるので、顔料の数が多いほど色変化効果が大きい。そこで、光が多重反射する顔料の数が多くなるように、色変化印刷層は、その厚みが厚くなるようにスクリーン印刷などの孔版印刷や、グラビア印刷などの凹版印刷で印刷されることが多い。
【０００３】
【発明が解決しようとする課題】
しかし、前述したように、色変化印刷層は、グラビア印刷、コーティング又はスクリーン印刷で印刷されることが多いため、製造コストがかかっていた。
すなわち、グラビア印刷は、印刷するための版作製にコストがかかるため、少量ロット製造には不適である。コーティングでは、パターニングができない。スクリーン印刷は、スクリーンの耐刷力のために大量生産には不適である。
また、比較的安価に製造できて、大量生産に適するオフセット印刷や凸版印刷では、多層印刷（重ね刷り）しないと、印刷厚が薄くなってしまうので、色変化効果が小さくなる。
【０００４】
本発明の課題は、安価に製造できて、比較的小規模の生産にも適し、簡単に偽造判別可能な偽造防止印刷媒体を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、帯状に形成された真偽品判別領域（１１ａ）を有する媒体基材（１１）と、真偽品判別領域（１１ａ）の上の全面に設けられ、見る角度によって色が変化する色変化印刷層（１２）と、色変化印刷層（１２）の上に設けられ、その色変化印刷層の一部分を目視不能に隠蔽して、偽造品判別情報（１３ａ）を形成する真偽品判別情報形成層（１３）とを有する偽造防止印刷媒体であって、前記真偽品判別情報形成層（１３）は、前記偽造品判別情報（１３ａ）となる領域以外の領域に、ベタ印刷され、かつ、前記媒体基材（１１）の表面の色調と、前記真偽品判別情報形成層（１３）の表面の色調とが同調していること、即ち、前記媒体基材（１１）の表面の色調と、前記真偽品判別情報形成層（１３）の表面の色調とが同調していること、即ち、前記媒体基材（１１）の表面の色彩の強弱・濃淡の調子と、前記真偽品判別情報形成層（１３）の表面の色彩の強弱・濃淡の調子とが同じであることを特徴とする偽造防止印刷媒体である。
【０００６】
請求項２の発明は、請求項１に記載の偽造防止印刷媒体において、色変化印刷層（１２）は、パール顔料を使用した印刷層であることを特徴とする偽造防止印刷媒体である。
【０００７】
請求項３の発明は、請求項１又は請求項２に記載の偽造防止印刷媒体において、真偽品判別情報形成層（１３）は、表面に光沢の出ないインキで形成された印刷層であることを特徴とする偽造防止印刷媒体である。
【００１０】
【発明の実施の形態】
以下、図面等を参照して、本発明の実施の形態について、さらに詳しく説明する。
（第１実施形態）
図１は、本発明による偽造防止印刷媒体の第１実施形態を示した図である。図中、（Ａ）は正面図、（Ｂ）は（Ａ）のＢ−Ｂ断面図である。
本実施形態では、本発明による偽造防止印刷媒体１０を保険料領収書として使用する場合について説明する。
【００１１】
偽造防止印刷媒体１０は、媒体基材１１と、色変化印刷層１２と、真偽品判別情報形成層１３とを有する。
【００１２】
媒体基材１１は、この偽造防止印刷媒体の担体となる基材である。媒体基材１１は、その材料として、例えば、上質紙、ＯＣＲ紙、ノーカーボン紙、アート紙などの紙、塩化ビニル、ポリエステル、ＰＥＴ、ポリプロピレン、セロファンアセテート、ポリカーボネート、アクリルなどのプラスチックフィルム等が好適に用いられる。媒体基材１１は、その表面の一部に、真偽品判別領域１１ａを備えて、他の部分には、保険料領収書である旨の標題１１ｂ、契約者名１１ｃ、証券番号１１ｄ、保険会社名１１ｅなどが印刷されている。
【００１３】
色変化印刷層１２は、真偽品判別領域１１ａの上に設けられた印刷層であり、見る角度によって色が変化する。
色変化印刷層１２は、色変化インキで印刷されている。色変化インキは、例えば、透明なビヒクル中に、高屈折率の酸化ケイ素、酸化チタン、酸化鉄などの層と、低屈折率のマイカ等の層を積層した顔料を分散したものが使用できる。具体例を挙げると、資生堂製の商品名；インフィニットカラーや、メルク社（独国）製の商品名；イリオジン等のパールインキなどである。
色変化印刷層１２は、そのような色変化インキをグラビア印刷、コーティング又は孔版印刷などで印刷するとよい。色変化印刷層１２が厚くなるので、色変化効果が大きくなるからである。
【００１４】
真偽品判別情報形成層１３は、色変化印刷層１２の上に設けられた層であり、偽造品判別情報１３ａが抜かれて形成されている。すなわち、真偽品判別情報形成層１３は、偽造品判別情報１３ａの下の色変化印刷層１２を目視可能とし、他の部分の下の色変化印刷層１２を目視不能に隠蔽している。
本実施形態では、真偽品判別情報形成層１３は、偽造品判別情報１３ａとして「ＤＮ保険」の文字が抜かれているので、見る角度を変えることによって、「ＤＮ保険」の文字の色が変化する。
【００１５】
また、真偽品判別情報形成層１３は、色変化印刷層１２へ入射する光、又は、色変化印刷層１２から反射される光を遮る作用により、偽造品判別情報１３ａを形成するものであり、例えば、酸化チタン等の光を散乱反射する多孔質物質や、鱗片状のアルミニウム粉等の光を正反射する金属粉が、合成樹脂等からなる結合剤に分散されているものを使用することができる。
特に、表面に光沢の出ない減感インキ、例えば、内外カーボン（株）製の商品名；ＴＭオフセット減感インキＮｏ．２７を使用して形成するとよい。
【００１６】
また、媒体基材１１の表面の色調と、真偽品判別情報形成層１３の表面の色調とを、同調させることにより、真偽品判別情報形成層１３の存在がわかりにくくなり、あたかも、偽造品判別情報１３ａの部分のみ、色変化印刷を行ったように見える。
このことは、予め形成されている色変化印刷層１２を版作製コストの安いオフセット印刷によって部分的に隠蔽することで、版作製コストの高いグラビア印刷やスクリーン印刷で偽造品判別情報１３ａの部分にのみ色変化印刷を行った場合と同じ効果が得られるものである。
さらに、多孔質物質として、根本特殊化学（株）が製造している蛍光顔料を使用すれば、紫外線下で真偽品判別情報形成層１３の部分が発光するため、真偽判別の効果が上がる。
【００１７】
図２は、本発明による偽造防止印刷媒体の第１実施形態にかかる色変化印刷層を示す図である。
色変化印刷層１２は、透明な媒体１２ｂ中に高屈折率層と低屈折率層を積層した顔料１２ａを分散した色変化インキによって、形成されている。
入射光は、図２（Ａ）に示すように、顔料１２ａによって反射して、第１の角度α方向に出射するとともに、顔料１２ａを高屈折率で透過したのちに、媒体基材１１の表面で反射して、第２の角度β方向に出射する。
【００１８】
このときに、顔料１２ａの反射光と透過光の関係は、図２（Ｂ）に示したように、その顔料１２ａの厚さによって、可視光線の波長のいずれかが干渉して、以下のような組み合わせとなる。
【００１９】
0004601733.tif 000002
【００２０】
したがって、例えば、色変化印刷層１２は、第１の角度αで金色に見えた場合には、第２の角度βでは紫色に見えることになる。
【００２１】
（作製方法）
図３は、本発明による偽造防止印刷媒体の第１実施形態の作製方法を説明する図である。
偽造防止印刷媒体１０は、以下のように作製する。
（１）媒体基材１１の所定領域に、色変化印刷層１２を印刷して、印刷媒体原反１０ａを作製する（図３（Ａ））。
なお、色変化印刷層１２は、上述の通り、色変化効果を大きくするために、色変化インキをスクリーン印刷又は凹版印刷などで印刷する。
（２）（１）で作製された印刷媒体原反１０ａに、保険料領収書である旨の標題１１ｂ、契約者名１１ｃ、証券番号１１ｄ、保険会社名１１ｅ及び真偽品判別情報形成層１３をオフセット印刷で印刷する（図３（Ｂ））。
（３）以上で、「ＤＮ保険」の文字の色が変化する偽造防止印刷媒体１０が完成する。
【００２２】
本実施形態によれば、以下の効果がある。
（１）媒体基材１１上に色変化印刷層１２を印刷して、汎用性のある印刷媒体原反１０ａを予め作製するので、同一の印刷媒体原反１０ａが大量に製造できるため、量産効果による原価低減を図ることができる。
（２）色変化印刷層１２は、スクリーン印刷又は凹版印刷等で印刷されるので、色変化効果が大きいため、アイキャッチ効果が高めることができる。
（３）色変化印刷層１２は、色が変化するので、簡単に偽造品の判別することができる。すなわち、万一、カラーコピー機などにより、外観を複写されても、この色変化効果はでないので、偽造が困難であるとともに、特別な判別装置を用いることなく偽造品の判別することができる。
（４）色変化印刷層１２は、パール顔料で印刷されているので、顔料の厚さの選択によって、色を選択できる。
【００２３】
（５）真偽品判別情報形成層１３は、オフセット印刷で印刷するので、小規模の生産にも適するとともに、安価に製造することができる。
（６）真偽品判別情報形成層１３は、偽造品判別情報１３ａを有しているので、他の製品と容易に区別することができる。
（７）真偽品判別情報形成層１３は、媒体基材１１と馴染むので、真偽品判別情報形成層１３の存在がわかりにくいため、見た目がよい。
【００２４】
（第２実施形態）
図４は、本発明による偽造防止印刷媒体の第２実施形態にかかる色変化印刷層の正面図である。
なお、以下に示す実施形態では、前述した第１実施形態と同様の機能を果たす部分には、同一の符号を付して、重複する説明を適宜省略する。
【００２５】
本実施形態では、真偽品判別情報形成層１３は、偽造品判別情報１３ａを表示している。すなわち、真偽品判別情報形成層１３は、その下の色変化印刷層１２を隠蔽しているが、偽造品判別情報１３ａの周りの部分の色変化印刷層１２は、目視可能である。
本実施形態では、真偽品判別情報形成層１３は、偽造品判別情報１３ａとして「ＤＮ保険」の文字が表示されているので、見る角度を変えることによって、「ＤＮ保険」の文字の周りの色が変化する。
【００２６】
本実施形態によれば、色変化する領域が大きいので、アイキャッチ効果をさらに高めることができる。
また、この色変化効果により、さらに簡単に偽造品の判別することができる。
【００２７】
（変形形態）
以上説明した実施形態に限定されることなく、種々の変形や変更が可能であって、それらも本発明の均等の範囲内である。
例えば、以下の通りである。
（１）媒体基材には、保険期間、保険の目的、保険の種類、領収日、領収金額、払込方法などが印刷されていてもよい。
そのようにすれば、様々な使用用途に対応することができる。
（２）色変化印刷層は、色変化インキの顔料を複数用いて塗り分けてもよい。
そのようにすれば、異なる色変化が現れるので、アイキャッチ効果をさらに高めることができる。
（３）色変化印刷層は、複数形成してもよい。
そのようにしても、アイキャッチ効果をより一層高めることができる。
【００２８】
（４）真偽品判別情報形成層は、マットインキを使用して形成してもよい。
そのようにしても、真偽品判別情報形成層は、その表面に光沢が出ないので、媒体基材の色と馴染んで、存在が判りにくくなるため、見た目がよい。
（５）真偽品判別情報形成層は、通常のインキを使用して形成してもよい。
そのようにしても、真偽品判別情報形成層は、色変化印刷層の一部分を目視不能に隠蔽して、偽造品判別情報を形成することができるので、偽造品判別等の効果を得ることができる。また、インキ代も安価である。
なお、この通常インキは、白色を使用すれば、媒体基材の色と馴染みやすくなるが、他の赤色、青色などを使用してもよい。偽造防止印刷媒体のデザインを考慮して決めればよい。
【００２９】
【発明の効果】
以上詳しく説明したように、請求項１の発明によれば、媒体基材の上に、見る角度によって色が変化する色変化印刷層が設けられているので、簡単に偽造品を判別することができるとともに、偽造することが困難である。また、真偽品判別情報形成層１３が設けられているので、他の製品と容易に区別することができる。さらに、媒体基材１１の表面の色調と、前記真偽品判別情報形成層１３の表面の色調とが同調していることにより、真偽品判別情報形成層１３の存在がわかりにくくなり、あたかも、偽造品判別情報１３ａの部分のみ、色変化印刷を行ったように見える。
【００３０】
請求項２の発明によれば、上記請求項１の発明の効果に加えて、色変化印刷層は、パール顔料によって、形成されているので、顔料の厚さの選択によって、色を選択することができる。
【００３１】
請求項３の発明によれば、上記請求項１又は２の発明の効果に加えて、真偽品判別情報形成層は、表面に光沢の出ないインキで形成されているので、媒体基材と馴染んで見た目がよい。
【図面の簡単な説明】
【図１】本発明による偽造防止印刷媒体の第１実施形態を示す図である。
【図２】本発明による偽造防止印刷媒体の第１実施形態にかかる色変化印刷層を示す図である。
【図３】本発明による偽造防止印刷媒体の第１実施形態の作製方法の説明図である。
【図４】本発明による偽造防止印刷媒体の第２実施形態にかかる色変化印刷層の正面図である。
【符号の説明】
１０  偽造防止印刷媒体
１１  媒体基材
１２  色変化印刷層
１３  真偽品判別情報形成層
１３ａ  偽造品判別情報
【図１】
0004601733.tif 000003
【図２】
0004601733.tif 000004
【図３】
0004601733.tif 000005
【図４】
0004601733.tif 000006